(57)【要約】【課題】ディスクパブリッシャのデモンストレーションを効果的に演出する。【解決手段】ディスクパブリッシャのデモンストレーション開始指示を受けて（ステップS２０４：Yｅｓ）、デモンストレーション時の照明を通常動作時の照明に比べて明るくする（ステップＳ２０５）。【選択図】図３
2008052859.tif 000002
【特許請求の範囲】
【請求項１】
ディスクにデータを書き込むためのドライブと、ブランクディスクを蓄積するためのブランクディスクスタッカと、データの書き込みが終了した作成済みディスクを蓄積するための作成済みディスクスタッカと、配布用に排出したディスクを蓄積するためのディスク排出スタッカと、前記ドライブと各スタッカとの間でディスクを搬送するローダとを備えたディスクパブリッシャであって、
前記ディスクパブリッシャの内部を照明する手段と、
前記ディスクパブリッシャのデモンストレーション時の照明を通常動作時の照明に比べて明るく制御する手段と、を備えたディスクパブリッシャ。
【請求項２】
ディスクにデータを書き込むためのドライブと、ブランクディスクを蓄積するためのブランクディスクスタッカと、データの書き込みが終了した作成済みディスクを蓄積するための作成済みディスクスタッカと、配布用に排出したディスクを蓄積するためのディスク排出スタッカと、前記ドライブと各スタッカとの間でディスクを搬送するローダと、前記ディスクパブリッシャの内部を照明する手段とを備えたディスクパブリッシャのデモンストレーション方法であって、
前記ディスクパブリッシャのデモンストレーション時の照明を通常動作時の照明に比べて明るく制御するステップを備えるディスクパブリッシャのデモンストレーション方法。
【請求項３】
請求項２記載のステップをコンピュータに実行させるプログラム。
【発明の詳細な説明】
【技術分野】
【０００１】
本発明は、ＣＤ、ＤＶＤ等のディスクにデータを書き込むディスクパブリッシャのデモンストレーション技術に関する。
【背景技術】
【０００２】
従来、機密データの漏洩等を防止するため、データの外部への出力を外部記録媒体書き込み装置に一元化し、セキュリティの高いデータ管理を実現するシステムや方法が提案されている。その外部記録媒体書き込み装置の一例として、ディスクパブリッシャがある。ディスクパブリッシャは、ユーザーが指定したデータをＣＤやＤＶＤなどのディスクに書き込むもので、データ配布用のディスクの作成、配布と廃棄を把握することによりデータの管理を行うものである。
【発明の開示】
【発明が解決しようとする課題】
【０００３】
機器の販売促進を目的としたデモンストレーションにおいては、ディスクパブリッシャの内部動作を紹介すると効果的である。しかし、筐体内にはドライブ、各種スタッカ等が密集して配置されているため、内部の様子が見え難いため、デモンストレーションを効果的に演出することができないという問題がある。本発明は、ディスクパブリッシャのデモンストレーションを効果的に演出することを目的とする。
【課題を解決するための手段】
【０００４】
本発明は、ディスクにデータを書き込むためのドライブと、ブランクディスクを蓄積するためのブランクディスクスタッカと、データの書き込みが終了した作成済みディスクを蓄積するための作成済みディスクスタッカと、配布用に排出したディスクを蓄積するためのディスク排出スタッカと、前記ドライブと各スタッカとの間でディスクを搬送するローダとを備えたディスクパブリッシャであって、前記ディスクパブリッシャの内部を照明する手段と、前記ディスクパブリッシャのデモンストレーション時の照明を通常動作時の照明に比べて明るく制御する手段と、を備える。
【０００５】
本発明は、ディスクにデータを書き込むためのドライブと、ブランクディスクを蓄積するためのブランクディスクスタッカと、データの書き込みが終了した作成済みディスクを蓄積するための作成済みディスクスタッカと、配布用に排出したディスクを蓄積するためのディスク排出スタッカと、前記ドライブと各スタッカとの間でディスクを搬送するローダと、前記ディスクパブリッシャの内部を照明する手段とを備えたディスクパブリッシャのデモンストレーション方法であって、前記ディスクパブリッシャのデモンストレーション時の照明を通常動作時の照明に比べて明るく制御するステップを備える。
【０００６】
上記構成によれば、ディスクパブリッシャのデモンストレーション時の照明を通常動作に比べて明るくすることで、内部の様子が視認し易くなるため、デモンストレーションを効果的に演出することができる。
【発明の効果】
【０００７】
本発明によれば、ディスクパブリッシャのデモンストレーション時の照明を通常動作に比べて明るくすることで、内部の様子が視認し易くなるため、デモンストレーションを効果的に演出することができる。
【発明を実施するための最良の形態】
【０００８】
図１は本発明の実施の形態におけるディスクパブリッシャを示す概略構成図である。ディスクパブリッシャ１００は、主に、Ａドライブ１０、Ｂドライブ１１、プリンタトレイ２０、オートローダ３０、内部制御装置４０、ブランクディスクスタッカ５０、作成済みディスクスタッカ６０、ディスク排出スタッカ７０、ディスクパブリッシャの内部を照明する照明器具８０などで構成される。ディスクパブリッシャ１００は、ネットワーク２００を介して、運用者用パーソナルコンピュータ（ＰＣ）３００や作成者用パーソナルコンピュータ（ＰＣ）３１０などに接続される。
【０００９】
ディスクパブリッシャ１００は、ディスクにデータの書き込みを行うドライブを、Ａドライブ１０とＢドライブ１１の２基搭載しており、データの書き込み動作（または、データの上書きによる消去動作）を２基のドライブで平行して行うことができる。但し、これにとらわれるものではなく、ドライブが１基であっても本発明の要旨を実現可能であることは言うまでもない。プリンタトレイ２０は、ディスクの盤面に印刷処理を行うプリンタ（図示省略）にディスクを供給するためのトレイであり、データの書き込みが終了したディスクは、オートローダ３０によりプリンタトレイ２０に搬送される。印刷処理が終了したディスクは、オートローダ３０により後述する各種スタッカへ搬送される。オートローダ３０は、ディスクパブリッシャ１００内の各部にディスクを搬送するための搬送装置であり、上下動や回転の各動作によりディスクの取得、搬送、載置を行う。
【００１０】
内部制御装置４０は、ディスクパブリッシャ１００の動作全般を統括制御する制御部であり、ディスクパブリッシャ１００内に予め設定された制御プログラムや運用者ＰＣからの指示などに基づいて、ディスクの作成、配布動作などを実行する。
【００１１】
ブランクディスクスタッカ５０は、データの書き込みを行うためのブランクディスクを供給、蓄積するスタッカで、ブランクディスク５１はオートローダ３０によってドライブ１０または１１へ搬送される。作成済みディスクスタッカ６０は、ドライブ１０または１１でデータの書き込みが行われたディスクを一時的に蓄積するためのスタッカで、作成済みのディスク６１はこのスタッカで所定時間格納され、その後、後述するディスク排出スタッカ７０へ排出される。ディスク排出スタッカ７０は、作成済みディスクまたは上書き消去処理済みディスク７１をユーザーに配布するためのスタッカである。ディスク排出スタッカ７０には、ドライブ１０または１１から作成済みのディスクが直接搬送されたり、前述の作成済みディスクスタッカ６０で一時蓄積された作成済みのディスクが搬送されたりする。
【００１２】
運用者用ＰＣ３００は、ディスクパブリッシャ１００への各種設定などを遠隔から行うための端末である。尚、各種設定は、設定の重要度に応じて、権限を有する運用者のみが行えるような構成とすることが好ましい。一方、作成者用ＰＣ３１０は、配布するディスクの作成指示を行う端末である。ディスクの作成者に対しても所定の認証等を行ってデータの外部出力が厳重に管理されることが好ましい。
【００１３】
図２は本発明の実施の形態におけるディスクパブリッシャのディスク作成動作手順を示すフローチャートである。ディスクパブリッシャ１００は、作成者用ＰＣ３１０などからディスク作成の指示を受信すると、内部制御装置４０の制御により、オートローダ３０がブランクディスクスタッカ５０にスタックされたブランクディスクをピックアップし（ステップＳ１０１）、Ａドライブ１０にセットする（ステップＳ１０２）。次に、Ａドライブ１０でデータライトを行って（ステップＳ１０３）、作成済みディスクを作成済みディスクスタッカ６０またはディスク排出スタッカ７０へ搬送する（ステップＳ１０４）。
【００１４】
図３は本発明の実施の形態におけるディスクパブリッシャのデモンストレーション動作手順を示すフローチャートである。内部制御装置４０の制御により、オートローダ３０がブランクディスクスタッカ５０にスタックされたブランクディスクをピックアップし（ステップＳ２００）、Ａドライブ１０へセットする（ステップＳ２０１）。次に、Ａドライブ１０でデータライトを行って（ステップＳ２０２）、作成済みディスク（デモンストレーション配布用ディスク）をブランクディスクスタッカ５０にスタックする（ステップＳ２０３）。作成されるディスクには、製品説明など、デモンストレーションのターゲットユーザーに提供したい情報が予め書き込まれる。以上は、デモンストレーション配布用ディスクの事前準備動作である。
【００１５】
次に、ディスクパブリッシャ本体の特定ボタンの押下操作などによるデモンストレーションの動作指示を検知し（ステップＳ２０４）、動作指示を検知すると（ステップＳ２０４のＹｅｓ）、内部制御装置４０は、照明器具８０の照明を通常動作時の照明よりも明るく設定する（ステップS２０５）。
【００１６】
デモンストレーションの内容として、図２に示した通常動作と同じ動作手順を設定してもよいが、本実施形態では、デモンストレーション動作の高速化を図るために、以下に示すように通常動作とは異なる動作手順を設定している。まず、オートローダ３０を動作させ、スタックした配布用ディスクをブランクディスクスタッカ５０から取得し（ステップＳ２０６）、Ｂドライブ１１へセットする（ステップＳ２０７）。Ｂドライブ１１にセットはするものの、書き込み動作は行われないため、オートローダ３０は、即座にディスクを取り出し（ステップＳ２０８）、ディスク排出スタッカ７０へ搬送、排出する（ステップＳ２０９）。排出された作成済みのディスクは、デモンストレーションの参加ユーザーへ配布される。
【００１７】
上記のデモンストレーションでは、ディスクを作り置きしておくため、将来予想を誤るとディスクが無駄になるという問題が生じる。そこで、作成済みディスクスタッカ６０にブランクディスクをスタックしておき、ブランクディスクスタッカ５０のディスクの残数をモニタし（ステップＳ２１０）、残数が所定数より少なくなった場合には（ステップＳ２１０のＮｏ）、作成済みディスクスタッカ６０のブランクディスクをＡドライブ１０へセットし（ステップＳ２１１）、デモンストレーション用データの書き込みを行い（ステップＳ２１２）、作成済みの配布用ディスクをブランクディスクスタッカ５０へ搬送して補充する（ステップＳ２１３）。
【００１８】
デモンストレーション配布用ディスクの補充終了後や、ステップＳ２１０において配布用ディスクの残数が所定数以上あると判定された場合には、ステップＳ２０５に戻り、デモンストレーション開始指示の検知以降の処理手順を繰り返す。
【図面の簡単な説明】
【００１９】
【図１】本発明の実施の形態におけるディスクパブリッシャを示す概略構成図である。
【図２】本発明の実施の形態におけるディスクパブリッシャのディスク作成動作手順を示すフローチャートである。
【図３】本発明の実施の形態におけるディスクパブリッシャのデモンストレーション動作手順を示すフローチャートである。
【符号の説明】
【００２０】
１０  Ａドライブ
１１  Ｂドライブ
２０  プリンタトレイ
３０  オートローダ
４０  内部制御装置
５０  ブランクディスクスタッカ
６０  作成済みディスクスタッカ
７０  ディスク排出スタッカ
８０  照明器具
１００  ディスクパブリッシャ
２００  ネットワーク
３００  運用者用ＰＣ
３１０  作成者用ＰＣ
【図１】
2008052859.tif 000003
【図２】
2008052859.tif 000004
【図３】
2008052859.tif 000005